(57)【要約】【課題】バキューム装置の動作時間を短時間とすることができ且つ便器の臭気を確実に脱臭することを可能としたバキューム式トイレ装置を提供する。【解決手段】便座３に人が座ると便座センサ１２がそれを感知して、排気ファン５０が自動的に動作して便器４の臭気を吸引排気する。便座３から人が立ち上がると便座センサ１２がそれを感知し、その感知から所定の時間（一分〜数分）後に排気ファン５０を自動停止させる。６１は制御部である。臭気センサ１１が臭気を感知している間、排気ファン５０は動作して便器４の臭気を吸引排気する。洗浄スイッチ１３を押している間はポンプ４８が動作して、水洗を行う。【選択図】図１
2007285070.tif 000002
【特許請求の範囲】
【請求項１】
便座を有する座って排便をする便器と、
この便器に設けられた便を受ける容器体からなる便受け部と、
この便受け部に一方を接続してなる移送管部と、
下水管の点検穴、浄化槽の汲取り穴、肥溜めの汲取り穴、浸透桝の開口、溜め容器の開口などの便投棄場所投入部等の上に置く前記移送管部の他方に接続されてなるバキュームタンクと、
このバキュームタンクの下部に設けられた、前記便受け部から前記移送管部を通して移送され該バキュームタンクに収納された便を前記便溜め場所投入部等に排出する排出孔と、
この排出口を開閉する排出口開閉弁と、
前記移送管部を通じて前記便受け部の便を前記バキュームタンク内に吸引移送するようにするための、該バキュームタンク内を負圧にするバキューム装置と、
前記便器に接続されてなる前記便受け部の臭気を吸引するための臭気吸引管、この臭気吸引管が連絡された臭気を主に屋外に排出するための排気ファンとからなる臭排気装置と、とからなるとともに、
使用者が便器に座っての排便中は前記排気ファンを動作させて臭気を吸引排気させることができ、且つ、排便が終了してから前記バキューム装置を動作させて前記便受け部の便を前記バキュームタンク内に吸引移送するように動作させるあるいは操作することができるようにしてなることを特徴とするバキューム式トイレ装置。
【請求項２】
排出開閉弁がバキューム装置の動作によるバキュームタンク内の負圧力により排出口に吸い付けられて該排出口を閉じ、且つ、前記バキューム装置の停止により前記バキュームタンク内の負圧力が弱まったり常圧になると開閉弁の自重で開くあるいは前記バキュームタンク内の負圧力が弱まったり常圧になると収納した便等の重さで開くようにしてなるものであることを特徴とする請求項１記載のバキューム式トイレ装置。
【請求項３】
前記排気ファンを常に動作させるようにしてなることを特徴とする請求項１記載のバキューム式トイレ装置。
【請求項４】
臭気センサを設け、この臭気センサが所定の臭気を感知している状態においては排気ファンが動作して臭気の吸排気状態であることを特徴とする請求項１記載のバキューム式トイレ装置。
【請求項５】
移送管部の便器内あるいは該便器近くに、狭い形態を有し且つ硬く大きな便を詰まらせる詰まらせ管部を設け、該詰まらせ管部に便が詰まった場合には該詰まらせ管部を脚踏み潰すとか装置で潰すことにより詰まった便を潰して、詰まりを解消できるようにしたことを特徴とする請求項１〜４いずれか記載のバキューム式トイレ装置。
【請求項６】
移送管部の便器内あるいは該便器近くに開閉管部を設け、この開閉管部を潰し閉じる管部閉じ装置を設け、この管部閉じ装置は便器使用時を含め通常時は閉じ状態で前記詰まらせ管部を潰し閉じ状態にするとともに、バキューム装置の動作中は開き状態になることを特徴とする請求項１〜５いずれか記載のバキューム式トイレ装置。
【請求項７】
請求項６に記載の開閉管部が請求項５に記載の詰まらせ管部であることを特徴とするバキューム式トイレ装置。
【請求項８】
便受け部に水を流し込む水洗装置を設け、前記水洗装置の動作・停止を行う水張りスイッチを設け、バキューム装置、管部閉じ装置および前記水洗装置あるいは他の水洗装置の動作・停止を一緒に行うバキューム・水洗スイッチを設けてなることを特徴とする請求項５、６、７いずれか記載のバキューム式トイレ装置。
【請求項９】
水洗装置が、
洗浄水を溜め置く洗浄水タンクと、
便受け部の上方内側壁に沿うように設けられた該上方内側形態と同じ形態の管部からなり且つ該管部の下部に該便受け部の内壁に向けて洗浄水を放出する多数の洗浄水放出孔を有する洗浄水放出管と、
前記洗浄水タンクの水を前記洗浄水放出管に送水するポンプとから構成されてなることを特徴とする請求項１〜８いずれか記載のバキューム装置。
【請求項１０】
移送管部の中途に移送管部切替バルブを設け、この移送管部切替バルブに補助吸引管を取り付け、前記移送管部切替バルブの切替操作により、前記補助吸引管での吸引を可能としたことを特徴とする請求項１〜９いずれか記載のバキューム式トイレ装置。
【請求項１１】
詰まらせ管部を潰し閉じ状態とする管部閉じ装置を設け、バキューム装置、水洗装置、前記管部閉じ装置を動作させるバキューム水洗水張りスイッチを設け、このバキューム水洗水張りスイッチを入りとすることにより前記バキューム装置および前記水洗装置を動作させ、前記バキューム装置の動作から少し遅れて前記管部閉じ装置を動作させて前記詰まらせ管部を開き、便受け部の便等を吸引してバキュームタンクに移送する状態にし、前記バキューム水洗水張りスイッチを切ると、前記バキューム装置が停止し前記管部閉じ装置が閉じ動作して前記詰まらせ管部を潰し閉じ状態とし、前記水洗装置は更に水を送る水張り動作を続けて前記便受け部を水張り状態として停止するようにしてなることを特徴とする請求項６記載のバキューム式トイレ装置。
【請求項１２】
便器本体と、
この便器本体に該便器本体と一体成形により設けられた便を受ける容器体からなる便受け部と、
この便受け部に収納して尿便を受け収納し尿便を収納して持ち歩くバケツと、
この便受け部の底部に突出設けられた移送管部取り付け部とからなることをと特徴とする簡易便器。
【発明の詳細な説明】
【技術分野】
【０００１】
本発明は、バキューム式トイレ装置およびバキューム式トイレの便器として略そのまま使用できるに簡易便器に関する。
【背景技術】
【０００２】
特開平１０−１９５９６０（吸込装装置）に、便器と低部にタンクの負圧で開閉する開閉弁を有する吸引タンクを管で連絡し、吸引機構部３（バキューム装置）を動作させて前記吸引タンクを負圧にすることにより、便器内の便を前記吸引タンクに移送し、前記吸引タンクの負圧が解除されると該タンク内の便が下水に自動的に放出されるバキューム式トイレ装置の技術が開示されている。
【特許文献１】特開平１０−１９５９６０
【非特許文献１】特になし
【発明の開示】
【発明が解決しようとする課題】
【０００３】
上記特許文献１の技術は、
１：使用中の便器の臭気を常に脱臭するためには、吸引機構部３（バキューム装置）を便器の使用中は常に動作する長時間動作を強いらなければならないという欠点があった。この欠点は以下のような問題をもたらすものであった。
（１）１人で一回の平均トイレ使用時間が３分程度であるとすると、１日の使用回数が７回である場合、１日２１分、１ヶ月略６３０分（１０．５時間）、１年１２６時間となり、バキューム装置の寿命を短期間にしてしまう。
（２）バキューム装置は騒音が大きく、長時間騒音を出し続ける。また、バキューム装置からの排気臭も長時間排出してしまう。
（３）排便（尿を含む）と同時に便は吸移送されるので、健康チェックのために便を目視することができない。吸引機構部３（バキューム装置）を停止して便を観察しようとした場合、臭気が部屋に飛散する。
（４）便器内に便が残った場合や、便器の清掃がおろそかになったりして臭気が生じると、その臭気が部屋に飛散してしまう。
（５）バキューム装置による脱臭は、空気の吸引量が多くて、お尻がスースーして寒気を感じるなど、強い違和感があるものであった。
２：便器２９（便受け部）の水溜めは、該便器２９からの移送管部をU字状に曲げ上げた形態としてしているために、便器２９の水張りが前記U字状部位に高さ以上にできない（殆ど便器２９の排出口程度が限度）、前記U字状部位が便器２９の直後に設けられているので、便の移送速度が付かない状態で移送管部の折れ曲がりに遭遇することになり、硬く大きな便やトイレットペーパーの塊がその折れ曲がり部位で詰まってしまうという欠点を有するものであった。
（６）プラスチックなどでできた安価な簡易便器（ポータブル便器）は、中に尿便を入れ持ち歩くことができるバケツを有している。
これは、バキューム式トイレを購入しようとした場合、粗大ゴミとなり資源の無駄、邪魔になる、有効利用できないという欠点があった。
また、臭気が無く便処理の入らないバキューム式トイレへのグレードアップを考えた購入ができないという欠点を有するものであった。
【０００４】
本発明は以上のような従来技術の欠点に鑑み、バキューム装置の動作時間を短時間とすることができ且つ便器の臭気を確実に脱臭することを可能としたバキューム式トイレ装置を提供することを目的としている。
また本発明の他の目的は、バキューム装置の動作時間を短時間とすることができ、便器の臭気を確実に脱臭することを可能とし、且つ、便受け部に十分な水を張ることを可能としたバキューム式トイレ装置を提供することにある。
また本発明の他の目的は、バキューム式トイレの便器として略そのまま使用できる簡易便器を提供することにある。
【課題を解決するための手段】
【０００５】
上記目的を達成するために、本発明は次に述べるような構成となっている。
＜請求項１記載の発明＞
便座を有する座って排便（尿を含む）をする便器と、
この便器に設けられた便を受ける容器体からなる便受け部と、
この便受け部に一方を接続してなる移送管部と、
下水管の点検穴、浄化槽の汲取り穴、肥溜めの汲取り穴、浸透桝の開口、溜め容器の開口などの便投棄場所投入部等の上に置く前記移送管部の他方に接続されてなるバキュームタンクと、
このバキュームタンクの下部に設けられた、前記便受け部から前記移送管部を通して移送され該バキュームタンクに収納された便を前記便溜め場所投入部等に排出する排出孔と、
この排出口を開閉する排出口開閉弁と、
前記移送管部を通じて前記便受け部の便を前記バキュームタンク内に吸引移送するようにするための、該バキュームタンク内を負圧にするバキューム装置と、
前記便器に接続されてなる前記便受け部の臭気を吸引するための臭気吸引管、この臭気吸引管が連絡された臭気を主に屋外に排出するための排気ファンとからなる臭排気装置と、とからなるとともに、
使用者が便器に座っての排便中は前記排気ファンを動作させて臭気を吸引排気させることができ、且つ、排便が終了してから前記バキューム装置を動作させて前記便受け部の便を前記バキュームタンク内に吸引移送するように動作させるあるいは操作することができるようにしてなるバキューム式トイレ装置を構成している。
＜請求項２記載の発明＞
請求項１記載の発明の構成において、排出開閉弁がバキューム装置の動作によるバキュームタンク内の負圧力により排出口に吸い付けられて該排出口を閉じ、且つ、前記バキューム装置の停止により前記バキュームタンク内の負圧力が弱まったり常圧になると開閉弁の自重で開くあるいは前記バキュームタンク内の負圧力が弱まったり常圧になると収納した便等の重さで開くようにしてなるものであるバキューム式トイレ装置を構成している。
＜請求項３記載の発明＞
請求項１記載の発明の構成において、前記排気ファンを常に動作させるようにしてなるバキューム式トイレ装置を構成している。
＜請求項４記載の発明＞
請求項１記載の発明の構成において、臭気センサを設け、この臭気センサが所定の臭気を感知している状態においては排気ファンが動作して臭気の吸排気状態であるバキューム式トイレ装置を構成している。
＜請求項５記載の発明＞
請求項１〜４いずれか記載の発明の構成において、移送管部の便器内あるいは該便器近くに、狭い形態を有し且つ硬く大きな便を詰まらせる詰まらせ管部を設け、該詰まらせ管部に便が詰まった場合には該詰まらせ管部を脚踏み潰すとか装置で潰すことにより詰まった便を潰して、詰まりを解消できるようにしたバキューム式トイレ装置を構成している。
＜請求項６記載の発明＞
請求項１〜５いずれか記載の発明の構成において、移送管部の便器内あるいは該便器近くに開閉管部を設け、この開閉管部を潰し閉じる管部閉じ装置を設け、この管部閉じ装置は便器使用時を含め通常時は閉じ状態で前記詰まらせ管部を潰し閉じ状態にするとともに、バキューム装置の動作中は開き状態になるバキューム式トイレ装置を構成している。
＜請求項７記載の発明＞
請求項６に記載の開閉管部が請求項５に記載の詰まらせ管部であるバキューム式トイレ装置を構成している。
＜請求項８記載の発明＞
請求項５、６、７載の発明の構成において、便受け部に水を流し込む水洗装置を設け、前記水洗装置の動作・停止を行う水張りスイッチを設け、バキューム装置、管部閉じ装置および前記水洗装置あるいは他の水洗装置の動作・停止を一緒に行うバキューム・水洗スイッチを設けてなるバキューム式トイレ装置を構成している。
＜請求項９記載の発明＞
請求項１〜８いずれか記載の発明の構成において、水洗装置が、
洗浄水を溜め置く洗浄水タンクと、
便受け部の上方内側壁に沿うように設けられた該上方内側形態と同じ形態の管部からなり且つ該管部の下部に該便受け部の内壁に向けて洗浄水を放出する多数の洗浄水放出孔を有する洗浄水放出管と、
前記洗浄水タンクの水を前記洗浄水放出管に送水するポンプとから構成されてなるバキューム装置を構成している。
＜請求項１０記載の発明＞
請求項１〜９いずれか記載の発明の構成において、移送管部の中途に移送管部切替バルブを設け、この移送管部切替バルブに補助吸引管を取り付け、前記移送管部切替バルブの切替操作により、前記補助吸引管での吸引を可能としたバキューム式トイレ装置を構成している。
＜請求項１１記載の発明＞
請求項６記載の発明の構成において、詰まらせ管部を潰し閉じ状態とする管部閉じ装置を設け、バキューム装置、水洗装置、前記管部閉じ装置を動作させるバキューム水洗水張りスイッチを設け、このバキューム水洗水張りスイッチを入りとすることにより前記バキューム装置および前記水洗装置を動作させ、前記バキューム装置の動作から少し遅れて前記管部閉じ装置を動作させて前記詰まらせ管部を開き、便受け部の便等を吸引してバキュームタンクに移送する状態にし、前記バキューム水洗水張りスイッチを切ると、前記バキューム装置が停止し前記管部閉じ装置が閉じ動作して前記詰まらせ管部を潰し閉じ状態とし、前記水洗装置は更に水を送る水張り動作を続けて前記便受け部を水張り状態として停止するようにしてなるバキューム式トイレ装置を構成している。
＜請求項１２記載の発明＞
便器本体と、
この便器本体に該便器本体と一体成形により設けられた便を受ける容器体からなる便受け部と、
この便受け部に収納して尿便を受け収納し尿便を収納して持ち歩くバケツと、
この便受け部の底部に突出設けられた移送管部取り付け部とで簡易便器を構成している。
【発明の効果】
【０００６】
以上の説明から明らかなように、本発明にあっては次に列挙する効果が得られる。
＜請求項１記載の発明の効果＞
便座を有する座って排便をする便器と、この便器に設けられた便を受ける容器体からなる便受け部と、この便受け部に一方を接続してなる移送管部と、下水管の点検穴、浄化槽の汲取り穴、肥溜めの汲取り穴、浸透桝の開口、溜め容器の開口などの便投棄場所投入箇所等の上に置く前記移送管部の他方に接続されてなるバキュームタンクと、このバキュームタンクの下部に設けられた、前記便受け部から前記移送管部を通して移送され該バキュームタンクに収納された便を前記便溜め場所投入部等に排出する排出孔と、この排出口を開閉する排出口開閉弁と、前記移送管部を通じて前記便受け部の便を前記バキュームタンク内に吸引移送するようにするための、該バキュームタンク内を負圧にするバキューム装置と、前記便器に接続されてなる前記便受け部の臭気を吸引するための臭気吸引管、この臭気吸引管が連絡された臭気を主に屋外に排出するための排気ファンとからなる臭排気装置と、とからなるとともに、使用者が便器に座っての排便中は前記排気ファンを動作させて臭気を吸引排気させることができ、且つ、排便が終了してから前記バキューム装置を動作させて前記便受け部の便を前記バキュームタンク内に吸引移送するように動作させるあるいは操作することができるようにしてなるバキューム式トイレ装置を構成しているので、
（１）  使用者が便座に座って便中は臭排気装置を作動させてその臭気を吸引して屋外に排気させ続けるので、バキューム装置を脱臭のために動作させる必要がなく、バキューム装置は便が済んでから動作させせるだけの４秒〜６秒程度の短時間動作とすることができる。これにより、バキューム装置の長寿命化を実現し、バキューム装置動作の騒音時間も短時間にできるという効果を奏する。
（２）  また、便を便受け部に臭気を気にすることなく止め置くことができるので、臭気を気にすることなく便の状態を見ることができるという効果を奏する。
（３）  また、便器に座って居る間はバキューム装置を作動させないので、お尻がスースーして寒気を感じることがないという効果を奏する。
（４）  また、排便直前に僅かに水洗を行って便受け部を濡らし、バキューム動作時の数秒程度だけ水を流せばよいので、水タンクの水を水洗用水として使用する場合その使用を少量とすることができ、水タンクを小型にできる、ないし水タンクへの水の汲み入れ仕事を軽減できるという効果を奏する。
＜請求項２記載の発明の効果＞
請求項１記載の発明の構成において、排出開閉弁がバキューム装置の動作によるバキュームタンク内の負圧力により排出口に吸い付けられて該排出口を閉じ、且つ、前記バキューム装置の停止により前記バキュームタンク内の負圧力が弱まったり常圧になると開閉弁の自重で開くあるいは前記バキュームタンク内の負圧力が弱まったり常圧になると収納した便等の重さで開くようにしてなるものであるバキューム式トイレ装置を構成しているので、
前記請求項１記載の発明の効果に加えて、排出開閉便の構造が非電動で簡単な構造であるので、故障し難く且つ低コストの装置を実現するという効果を奏する。
＜請求項３記載の発明の効果＞
請求項１記載の発明の構成において、前記排気ファンを常に動作させるようにしてなるバキューム式トイレ装置を構成しているので、
前記請求項１記載の発明の効果に加えて、便器に便が残っていたり、何らかの臭気が発生しても、常に屋外に吸排気しているので、部屋が臭くなることがないという効果を奏する。
＜請求項４記載の発明の効果＞
請求項１記載の発明の構成において、臭気センサを設け、この臭気センサが所定の臭気を感知している状態においては排気ファンが動作して臭気の吸排気状態であるバキューム式トイレ装置を構成しているので、
前記請求項１記載の発明の効果に加えて、臭気があるときだけ排気ファンが動作するので、省電力と排気ファンの長寿命化を実現するとともに、排気ファンが便器の使用時間以外で動作していれば、便器が汚れて臭気を発していることが分かり、便器の掃除を促すという効果を奏する。
＜請求項５記載の発明の効果＞
請求項１〜４いずれか記載の発明の構成において、移送管部の便器内あるいは該便器近くに、狭い形態を有し且つ硬く大きな便を詰まらせる詰まらせ管部を設け、該詰まらせ管部に便が詰まった場合には該詰まらせ管部を脚踏み潰すとか装置で潰すことにより詰まった便を潰して、詰まりを解消できるようにしたバキューム式トイレ装置を構成しているので、
前記請求項１〜４いずれか記載の発明の効果に加えて、便などの移送管部への詰まりを便器の内あるいは近接した部位でわざと起こさせ、これを踏み潰す当により使用者が簡単に解消することができるものであるので、詰まりによる使用不能状態が起きないバキューム式トイレを実現するという効果を奏する。
＜請求項６記載の発明の効果＞
請求項１〜５いずれか記載の発明の構成において、移送管部の便器内あるいは該便器近くに開閉管部を設け、この開閉管部を潰し閉じる管部閉じ装置を設け、この管部閉じ装置は便器使用時を含め通常時は閉じ状態で前記詰まらせ管部を潰し閉じ状態にするとともに、バキューム装置の動作中は開き状態になるバキューム式トイレ装置を構成しているの、
前記請求項１〜５いずれか記載の発明の効果に加えて、便器未使用状態および排便中は開閉管部が閉じ状態にあるので、便受け部に水を十分に張っておくことができ、この水の張りにより未使用中の便受け部の臭気を軽減でき、排便中は便を張った水内に沈めるて臭気を軽減させることができ、バキューム装置を動作させての吸引時は張った大量の水と共に便を吸引移送するので便受け部への便の付着なくスピーディーにバキュームタンクに移送することができるという効果を奏する。
＜請求項７記載の発明の効果＞
請求項６に記載の開閉管部が請求項５に記載の詰まらせ管部であるバキューム式トイレ装置を構成しているので、
詰まらせ管部に弁が詰まったら、バキューム装置の吸引動作を停止させることにより、管部閉じ装置が詰まらせ管部（開閉管部）を潰して詰まった便も潰す。こうしてバキューム装置を動作させると管閉じ装置は開いて詰まらせ管部も開いて、潰れた便は吸引移送される。このように、詰まり解消機能と便受け部への水張り機能を同一機構により実現するという効果を奏する。
＜請求項８記載の発明の効果＞
請求項５、６、７か記載の発明の構成において、便受け部に水を流し込む水洗装置を設け、前記水洗装置の動作・停止を行う水張りスイッチを設け、バキューム装置、管部閉じ装置および前記水洗装置あるいは他の水洗装置の動作・停止を一緒に行うバキューム・水洗スイッチを設けてなるバキューム式トイレ装置を構成しているので、
前記請求項５、６、７いずれか記載の発明の効果に加えて、水張りスイッチを押している間は水が便受け部に流れ込み続けて、管部閉じ装置は閉じているのでその水は便受け部に溜め張らせることができ、バキューム・水洗スイッチを押している間はバキューム装置が吸引動作し続け且つ水洗装置も動作し続けて便受け部を水洗し続ける。すなわち、２つの押しスイッチの押し操作という簡単な操作だけで、水洗水張り操作と、水洗バキューム操作を間違いなく行うことができるという効果を奏する。
＜請求項９記載の発明の効果＞
請求項１〜８いずれか記載の発明の構成において、水洗装置が、洗浄水を溜め置く洗浄水タンクと、便受け部の上方内側壁に沿うように設けられた該上方内側形態と同じ形態の管部からなり且つ該管部の下部に該便受け部の内壁に向けて洗浄水を放出する多数の洗浄水放出孔を有する洗浄水放出管と、前記洗浄水タンクの水を前記洗浄水放出管に送水するポンプとから構成されてなるバキューム装置を構成しているので、
請求項１〜８いずれか記載の発明の効果に加えて、洗浄水放出管の下部に設けられた多数の洗浄水放出孔から便受け部の内壁に向けて洗浄水を放出する形態であるので、確実に便受け部の内壁全体を少量の洗浄水により濡らし洗浄流れを形成することができるという効果を奏する。
また、洗浄水放出管の下部から便受け部の内壁に向けて放水当てる形態であるので、壁に当たった水の上への撥ね水は洗浄水放出管に当たって阻止されるので、洗浄水の跳ね上がりが生じない水洗装置を実現するという効果を奏する。
＜請求項１０記載の発明の効果＞
請求項１〜９いずれか記載の発明の構成において、移送管部の中途に移送管部切替バルブを設け、この移送管部切替バルブに補助吸引管を取り付け、前記移送管部切替バルブの切替操作により、前記補助吸引管での吸引を可能としたバキューム式トイレ装置を構成しているので、
請求項１〜９いずれか記載の発明の効果に加えて、補助吸引管により、ベッドの掃除、ベッドでの入浴した捨て湯の吸引廃棄などに使用でき大変に便利である。
＜請求項１１記載の発明の効果＞
請求項６記載の発明の構成において、詰まらせ管部を潰し閉じ状態とする管部閉じ装置を設け、バキューム装置、水洗装置、前記管部閉じ装置を動作させるバキューム水洗水張りスイッチを設け、このバキューム水洗水張りスイッチを入りとすることにより前記バキューム装置および前記水洗装置を動作させ、前記バキューム装置の動作から少し遅れて前記管部閉じ装置を動作させて前記詰まらせ管部を開き、便受け部の便等を吸引してバキュームタンクに移送する状態にし、前記バキューム水洗水張りスイッチを切ると、前記バキューム装置が停止し前記管部閉じ装置が閉じ動作して前記詰まらせ管部を潰し閉じ状態とし、前記水洗装置は更に水を送る水張り動作を続けて前記便受け部を水張り状態として停止するようにしてなるバキューム式トイレ装置を構成しているので、
請求項６記載の発明の効果に加えて、一つのスイッチの入り切り操作のみで水洗・バキュームと便受け部への水張りを行うことができるので、操作が極めて簡単であるという効果を奏する。
＜請求項１２記載の発明の効果＞
便器本体と、この便器本体に該便器本体と一体成形により設けられた便を受ける容器体からなる便受け部と、この便受け部に収納して尿便を受け収納し尿便を収納して持ち歩くバケツと、この便受け部の底部に突出設けられた移送管部取り付け部とで簡易便器を構成しているので、
簡易便器として使用していたものを、塞ぎ部を外し、移送管部取り付け部に移送管部を取り付けてバキューム式トイレとすることができるので、便器の有効利用となり、便器の買い変えを行わなくてよいのでその分少ない経費で済み、ゴミの増大を抑制するという効果を奏する。
また、簡易便器の説明書やパンフレットなりで、この簡易便器をバキューム式トイレにグレードアップできること、その申し込み先などを知ることなどにより、将来グレードアップを考えた購入ができる、簡易便器の臭気や処理の手間に不満や不便を感じ、臭気や処理の必要の無い便器にすることを容易にするという効果を奏する。
【発明を実施するための最良の形態】
【０００７】
本発明の実施の形態を図面を参照しながら説明する。ただし、この実施の形態に記載されている構成部品の大きさ、形状、寸法、材質、数、その相対配置などは、本発明の範囲をそれらのみに限定する趣旨のものではない。
【０００８】
＜第１の実施の形態＞
図１ないし図１３に示す本発明を実施するための最良の第１の実施の形態において１はバキューム式トイレ装置であって、このバキューム式トイレ装置１は便器本体４、この便器本体４に収納され便を受ける容器体からなる便受け部２、便座３とからなる便器１０と、屋外に置かれるバキュームタンク５と、便受け部２とバキュームタンク５とを連絡する該２の便（尿便）を該５に吸引移送する移送管部６と、バキュームタンク５を負圧にして便受け部２の便を吸引させるためのバキューム装置７と、便受け部２内に水洗用水を流し込む水洗装置８と、主に便受け部２の臭気を吸引して屋外に排気するための臭排気装置９、臭気センサ１１、便座センサ１２、洗浄スイッチ１３、バキュームスイッチ１４とからなっている。
【０００９】
便器１０は図１２に示すように、全体がプラスチック製の簡易便器からなっていて、外枠を形成する上部底部を開口してなる便器本体４と、この便器本体４に上部開口から本体を入れられ且つフランジ１５を便器本体４に掛けてセットされた便受け部２と、便座３とからなっている。
一般的には便蓋が設けられるが図では省略している。
便受け部２はバケツ形態の便受け部本体２６と、便をいれたまま持ち運びができるように着脱自在の取手１６（図５）が取り付けられるようになっていて、上部に設けられたフランジ１５と、底部に突出設けられた移送管部６を構成する便受け管部１８が取り付けるための移送管部取付部１７と、移送管部取付部１７を塞ぐ塞ぎ板１９とからなり、単なる簡易トイレとして提供されしようできるようになっている。２０はスカート部である。
便受け部２の上方には水洗装置８を構成する洗浄水放出管２１を止め支持する段差（複数の小突起でもよい）からなる放出管止め部２２が設けられている。
便受け部２の後上部には洗浄水放出管２１の硬質管からなる根元管部２３を嵌め支持する放出管支持溝２４が形成されている。
バキューム式トイレ装置とするには、塞ぎ板１９を抜き取って、移送管部６を取り付け、洗浄水放出管２１、臭排気装置９、臭気センサ１１、便座センサ１２、洗浄スイッチ１３、バキュームスイッチ１４などをセットしてバキューム式トイレにグレードアップする。
すでに貫通してなる移送管部取付部が形成されてなる便受け部を後付けする形態もよい。
また、移送管部取付部が形成されてなる便受け部が便器本体と一体成形されてなる形態のものもよい。この場合、搬送容器である便受け部２はバキューム式トイレの部品としては使用しない。
【００１０】
図１３において、便受け管部１８は立ち上がり部２５を設けて該１８に水が張るようにしている。バキュームタンクや移送管部からの臭気の進入を防ぐものである。
【００１１】
図６に示すように洗浄水放出管２１は、柔軟性のビニール管からなる管部２７と、この管部２７に通された該２７を所定のリング体にしている針金部材２８と、一方が塞がれ他方が開口してなる管部２７の左右端に差し込まれてなる管差込支持部２９と、管部２７の下部に形成された便受け部４の内壁に向けて洗浄水を放出する多数の洗浄水放出孔３０と、管差込支持部２９の中央に取り付けられてある根元管部２３とからなっている。
管部２７は水道管に繋いで水をまくなどする安価なビニール管でよく、針金を通して所定のリング体を形成するので、大変安価にできる。
【００１２】
バキュームタンク５は、タンク本体３２と、このタンク３２の中ほどに設けられた移送管部６が連絡する吸出し口３３と、タンク本体３２の上部に設けられたバキューム装置７のバキューム管３４が連絡するバキューム口３５と、タンク本体３２の傾斜底部に設けられた排出口３６と、この排出口３６のヒンジ形態で開閉を行う板状の排出口開閉弁３７と、タンク本体３２の下部に設けられたスカート部４０とからなている。
排出口開閉弁３７はバキューム装置７が吸引動作してタンク本体３２内が負圧になると排出口３６の口縁部位に吸い付けられて、吸引を移送管部６からのみとし、便等がタンク本体３２に収納されてもタンク本体３２の負圧力（真空力）により排出口３６に吸い付けられ開くことがない。タンク本体３２に収納された便等の重量が、真空力により排出口３６に吸い付けられている排出口開閉弁３７の吸い付け力を上回るとその重量によりバキューム装置７の吸引動作中であっても開いて、便等を下水の点検穴３８（下水桝）（便投棄場所投入部等）に放出する。
バキューム装置７が停止してタンク本体３２の負圧状態が解除されると便等の重量により開いて下水管３９に放出する。
排出口開閉弁３７は低コストでよいが、電動式開閉や電磁式開閉弁などもよい。
【００１３】
移送管部６は移送管本体４３と、便受け部２に取り付けられる便受け管部１８と、この便受け管部１８と移送管本体４３の間で便器の近接する部位に設けられた、弾性ゴム管からなる硬く太い便や大量に投棄されたトイレットペーパーなどを、わざと詰まらせる詰まらせ管部４４（細い管部）とからなっている。
詰まらせ管部４４に詰まった場合には、該４４を踏み潰し詰まった物を踏み潰しばらして、詰まらせ管部４４を通る状態にする。
詰まらせ管部は細い管に限らず、波形形態に一つから複数のうねりを設けた形態などもよい。
このように、わざと詰まらせる部位を便器に近接する部位や室内に設けることにより、詰まりが生じても使用者が簡単に詰まりを解消することができる。よって、詰まりによる便器が使用できなくなる、メンテナンスフリーが必要になる、といったことが生じないバキューム式トイレを実現するという効果を奏する。
【００１４】
水洗装置８は水タンク４７と、この水タンクに沈めるポンプ４８とこのポンプ４８と根元管部２３を連絡する送水管４９と、洗浄水放出管２１と、ポンプ４８を使用者が手動操作で動作させる洗浄スイッチ１３とからなっている。
水洗装置が動作しない、水洗装置を設けない場合は、バケツ等に水を汲み、水を便受け部に投入してバキューム動作すればよい。
【００１５】
臭排気装置９は臭気センサ１１と、屋外に取り付けられる排気ファン５０と、この排気ファン５０と便器４を連絡する臭吸引管５１とからなっている。４６は便器本体に固定する臭吸引口部材である。
排気ファンは室内に設けるのもよい。
臭吸管の途中などにオゾン、光触媒、活性炭などの脱臭部を設けて、排出する臭気を弱めるようにするのもよい。
【００１６】
バキューム装置は２００Ｗ程度の掃除機でも十分に機能する。
バキューム装置７はモータ５２と、このモータ５２の軸に取り付けられた大プーリー５３と、バキュームボックス５４と、このバキュームボックス５４に軸受けにより軸支され貫通されたメインシャフト５５と、このメインシャフト５５の外側に突き出た部位に取り付けられた大プーリー５３とベルト（図では省略）で連絡される小プーリー５６と、バキュームボックス５４内を吸引室５７と排気室５８に区分けするメインシャフト５５に固定された吸引ファン５９とから構成されている。
６０は排気孔である。
【００１７】
図４において、移送管本体４３と臭吸引管５１を壁６２に穴を貫通させて通す形態例を示している。
壁に２つの穴を貫通させ、それぞれに一方のフランジ６３を有し他方に雄ネジ６４を有する管形態のアダプター６５を挿入し、雄ネジ６４にネジ蓋６６を螺合させて壁に固定する。
【００１８】
図３に示すように、バキューム式トイレ１は次のように操作および動作する。
便座３に人が座ると便座センサ１２がそれを感知して、排気ファン５０が自動的に動作して便器４の臭気を吸引排気する。
便座３から人が立ち上がると便座センサ１２がそれを感知し、その感知から所定の時間（一分〜数分）後に排気ファン５０を自動停止させる。６１は制御部である。
臭気センサ１１が臭気を感知している間、排気ファン５０は動作して便器４の臭気を吸引排気する。
洗浄スイッチ１３を押している間はポンプ４８が動作して、水洗を行う。
バキュームスイッチ１４を入れるとバキューム装置７が動作して吸引を行う。このとき水洗スイッチ１３も押し水洗状態にする。
便座センサ１２が座ったことを感知したら、ポンプ４８が自動的に動作して、数秒間水を流し込み便受け部２の内壁を濡らすようにするのがよい。
【００１９】
（発明を実施するための異なる形態）
次に、本発明を実施するための異なる形態について説明する。なお、これら本発明を実施するための異なる形態の説明に当たって、本発明を実施するための最良の第１の実施の形態と同一構成部分には同一符号を付して重複する説明を省略する。
【００２０】
＜第２の実施の形態＞
図１４は本発明を実施するための最良の第２の実施の形態であって、前記第１の実施の形態と主に異なる点は、バキュームタンクをバキュームタンク７０とし、該７０の上部に一体的にバキューム装置７１を設けた構成としたことにある。
バキュームタンク７０はタンク本体３２と、このタンク３２内の上方から中ほどに延びた管により形成された移送管部６が連絡する吸出し口３３と、タンク本体３２の上部に設けられたバキューム装置７１が連絡するバキューム口３５と、タンク本体３２の傾斜底部に設けられた排出口３６と、この排出口３６のヒンジ形態で開閉を行う板状の排出口開閉弁３７と、タンク本体３２の下部に設けられたスカート部４０とからなている。
排出口開閉弁３７は磁着性部材からなっているあるいは磁着部が先端に設けられ、付勢手段７２により常に閉じ側に付勢支持され、排出口３６の外側には磁石７３が設けられ、付勢手段７２の付勢力により閉じ側に上げられた排出口開閉弁３７は磁石７３に引き上げられ磁着して排出口３６を塞ぐようになっている。
【００２１】
＜第３の実施の形態＞
図１５は本発明を実施するための最良の第３の実施の形態であって、前記第１の実施の形態と主に異なる点は、移送管部６の中途に移送管部切替バルブ７６を設け、この移送管部切替バルブ７６に補助吸引管７７を取り付け、移送管部切替バルブ７６の切替操作により、補助吸引管７７での吸引を可能とし、排気ファン５０を室内側に設けた点にある。
【００２２】
＜第４の実施の形態＞
図１６、図１７は本発明を実施するための最良の第４の実施の形態であって前記第１の実施の形態と主に異なる点は、詰まらせ管部４４を自動的に開閉させるソレノイドからなる管部閉じ装置８０を設け、ポンプ４８（水洗装置８）の動作・停止を行う水張りスイッチ８１を設け、バキューム装置７、管部閉じ装置８０およびポンプ４８の動作・停止を一緒に行うバキューム・水洗スイッチ８２を設け、制御部を制御部８３とした点にある。
通常は管部閉じ装置８０は閉じ状態で詰まらせ管部４４は潰され塞ぎ状態となっている。
この詰まらせ塞ぎ状態で水張りスイッチ８１を入れると便受け部２に水が流れ込み該便受け部２に水が溜まり水を張り、そのまま水張り状態を維持しておくことができる。
水張りスイッチ８１による操作においては、所定の時間がたったらスイッチが自動的に切れるようにするのがよい。さらに、一回の水張り操作を行うと、バキューム・水洗スイッチ８２を押してバキューム装置７を動作させて停止させないと、次の水張り操作ができないようにするのがよい。
【００２３】
＜第５の実施の形態＞
図１８は本発明を実施するための最良の第５の実施の形態であって前記第４の実施の形態と主に異なる点は、管部閉じ装置を両側から挟持部が対向動作する管部閉じ装置８６とし、動作スイッチをバキューム水洗水張りスイッチ８７とし、
バキューム水洗水張りスイッチ８７入りにすると、バキューム装置７およびポンプ４８（水洗開始）が動作し、バキューム装置７の動作から少し遅れて（２秒〜４秒程度）管部閉じ装置８６が動作して詰まらせ管部４４を開いて便受け部２の水・便等を吸引してバキュームタンク５への吸引移送状態にし、
バキューム水洗水張りスイッチ８７を切ると、バキューム装置７が停止し管部閉じ装置８６が閉じ動作して詰まらせ管部４４を潰し閉じ、ポンプ４８は更に所定の時間水を送る水張り動作を続けて便受け部２を水張り状態として停止するようにし、制御部をこのような制御をおこなう制御部８８とした点にある。
水張り動作の停止は、便受け部２への水張り状態を検出して止める、水量センサを設け所定の水量を流したら停止するなどの方法もよい。
バキューム水洗水張りスイッチ８７は指で押し続けると入り状態が継続し指を離すと切れる形態のスイッチ、入り操作をすると指を離しても入り状態が継続し霧操作をすると切れる形態のスイッチなど多様な形態がある。
【００２４】
＜第６の実施の形態＞
図１９は本発明を実施するための最良の第６の実施の形態であって前記第４の実施の形態と主に異なる点は、管部閉じ装置８６と詰まらせ管部４４を接合部９１，９２で接合して、詰まらせ管部４４が確実に開くようにした点にある。
【００２５】
＜第７の実施の形態＞
図２０は本発明を実施するための最良の第７の実施の形態であって前記第４の実施の形態と主に異なる点は、管部閉じ装置をモータ（図示せず）により回転するカムにより上下動する潰し体９７とした管部閉じ装置９４とした点にある。
ソレノイドに比べて静音である。モータの回転により閉じ開閉操作する形態は、カムによるものなど多様な形態がある。
【００２６】
＜第８の実施の形態＞
図２１は本発明を実施するための最良の第８の実施の形態であって前記第４の実施の形態と主に異なる点は、管部閉じ装置を手動や足踏み式で行う管部閉じ装置９９とした点にある。
管部閉じ装置９９は、詰まらせ管部４４を挟むように固定された対を成す軸受体１００、１０１と、この軸受体１００、１０１に回転自在に軸支され一部を便器１０の外側に突出されてなるシャフト１０２と、シャフト１０２の軸受体１００、１０１の間に設けられた対を成す該１００、１０１と一体となって回転する回転アーム１０３、１０４と、この回転アーム１０３、１０４の間に回転フリーに軸支されてなる詰まらせ管部４４を潰し塞ぐ潰し体１０５と、この潰し体１０５を潰し側に常に付勢している引張りコイルバネからなる付勢手段１０６と、シャフト１０２の便器外側部位に設けられた手で回し操作してシャフト１０２を回転させて潰し体１０５を開き動作させる操作杆１０７と、潰し体１０５が所定の潰し位置に止まるようにするストッパー１０８と、シャフト１０２に設けられたカム１０９と、詰まらせ管部４４を開き状態とした場合にカム１０９によりスイッチ入り状態となるバキューム水洗水張りスイッチ１１０とからなっている。
バキューム水洗水張りスイッチ１１０による動作は、バキューム水洗水張りスイッチ８７と同様な動作となる。
付勢手段は圧縮バネ、板バネ、弾性ゴム、発条、ねじり付勢手段など多様なものがる。
操作杆は操作杆である足踏みペダルでもよい。
【００２７】
＜第９の実施の形態＞
図２２は本発明を実施するための最良の第９の実施の形態であって前記第１の実施の形態と主に異なる点は、管を家の壁に通すためのアダプター１１３である。
アダプター１１３は、表面と裏面がある中空円筒形のアダプター本体１１４と、このアダプター本体１１４の表面から裏面に貫通された管通し孔１１５、１１６と、アダプター本体１１４の表側側部に螺刻された雄ネジ１１７と、アダプター本体１１４の裏側に形成されたフランジ１１８と、雄ネジ１１７に螺合する雌ネジ１１９を螺刻していなる固定カバー１２０とからなっている。
【００２８】
＜第１０の実施の形態＞
図２３は本発明を実施するための最良の第１０の実施の形態であって前記第１の実施の形態と主に異なる点は、便受け部１２３を便器本体４に一体的に成形してなる簡易便器１２４を形成した点にある。
便受け部１２３の底部には移送管部取付部１７が形成され、抜き易く結合縁を薄肉形成してなる塞ぎ板１９を設けている。
一般的な簡易便器として提供され、便受け部１２３に収納されるバケツ（便受け部２の移送管部取付部１７の無い平ら底部形態の単なるバケツ形態のもの）が便受け部として添付されている。
これにより、簡易便器１２４をバケツに尿便を排泄し、バケツを外して搬送してトイレに尿便を投棄する、一般的な簡易便器として購入し、後でバキューム式トイレの便器としてそのまま利用することができる。
【００２９】
＜第１１の実施の形態＞
図２４は本発明を実施するための最良の第１１の実施の形態であって前記第１０の実施の形態と主に異なる点は、移送管部取付部１７に雄ネジ１２６を螺刻し、塞ぎ板１９に変わる蓋１２７を螺合し塞ぐようにし、便座３の内側を下方に垂れ延ばした形態の洗浄水放出管２１に便が掛るのを防止するための便掛り防止部１２９を設けた簡易便器１２８を形成した点にある。
【産業上の利用可能性】
【００３０】
本発明は簡易便器、バキューム装置を製造する産業で利用される。
【図面の簡単な説明】
【００３１】
【図１】本発明を実施するための最良の第１の実施の形態におけるバキューム装置の全体構成図。
【図２】本発明を実施するための最良の第１の実施の形態におけるバキューム装置の断面図。
【図３】本発明を実施するための最良の第１の実施の形態における動作制御ブロック図。
【図４】本発明を実施するための最良の第１の実施の形態における管を壁に通す場合に使用するアダプターの断面図。
【図５】本発明を実施するための最良の第１の実施の形態における洗浄水放出管をセットした便受け部を示す斜視図。
【図６】本発明を実施するための最良の第１の実施の形態における洗浄水放出管を示す平面図。
【図７】本発明を実施するための最良の第１の実施の形態における洗浄水放出管と便受け部への掛り状態を示す断面図。
【図８】本発明を実施するための最良の第１の実施の形態における便受け部の断面図。
【図９】本発明を実施するための最良の第１の実施の形態における便受け部の便受け管部を取り付けた状態を示す断面図。
【図１０】本発明を実施するための最良の第１の実施の形態における便器に臭吸引管を取り付けた状態を示す平面図および側面図。
【図１１】本発明を実施するための最良の第１の実施の形態における便受け管部および詰まらせ管部を取り付けた便器の断面図。
【図１２】本発明を実施するための最良の第１の実施の形態における便器の平面図、右側面図、右側面図縦断面図および他の便受け管部を取り付けた便器の断面図。
【図１３】本発明を実施するための最良の第１の実施の形態における便器の断面図および移送管部図。
【図１４】本発明を実施するための最良の第２の実施の形態におけるバキュームタンクの断面図。
【図１５】本発明を実施するための最良の第３の実施の形態における移送管部切替バルブおよび補助吸引管を設けた平面図。
【図１６】本発明を実施するための最良の第４の実施の形態における管部閉じ装置の閉じ状態図および開き状態図。
【図１７】本発明を実施するための最良の第４の実施の形態における動作制御ブロック図。
【図１８】本発明を実施するための最良の第５の実施の形態における動作制御ブロック図。
【図１９】本発明を実施するための最良の第６の実施の形態における管部閉じ装置の閉じ状態図および開き状態図。
【図２０】本発明を実施するための最良の第７の実施の形態における管部閉じ装置の閉じ状態図および開き状態図。
【図２１】本発明を実施するための最良の第８の実施の形態における管部閉じ装置の閉じ状態図および開き状態図。
【図２２】本発明を実施するための最良の第９の実施の形態における管を通すアダプターの断面図および正面図。
【図２３】本発明を実施するための最良の第１０の実施の形態の簡易便器を示す断面図。
【図２４】本発明を実施するための最良の第１１の実施の形態の簡易便器を示す断面図。
【符号の説明】
【００３２】
１：バキューム式トイレ装置、
２：便受け部、
３：便座、
４：便器本体、
５：バキュームタンク、
６：移送管部、
７：バキューム装置、
８：水洗装置、
９：臭排気装置、
１０：便器、
１１：臭気センサ、
１２：便座センサ、
１３：洗浄スイッチ、
１４：バキュームスイッチ、
１５：フランジ、
１６：着脱自在の取手、
１７：移送管部取付部、
１８：便受け管部、
１９：塞ぎ板（塞ぎ部）、
２０：スカート部、
２１：洗浄水放出管、
２２：放出管止め部、
２３：根元管部、
２４：放出管支持溝、
２５：立ち上がり部、
２６：便受け部本体、
２７：管部、
２８：針金部材、
２９：管差込支持部、
３０：洗浄水放出孔、
３２：タンク本体、
３３：吸出し口、
３４：バキューム管、
３５：バキューム口、
３６：排出口、
３７：排出口開閉弁、
３８：下水の点検穴、
３９：下水管、
４０：スカート部、
４３：移送管本体、
４４：詰まらせ管部、
４６：臭吸引口部材、
４７：水タンク、
４８：ポンプ、
４９：送水管、
５０：排気ファン、
５１：臭吸引管、
５２：モータ、
５３：大プーリー、
５４：バキュームボックス、
５５：メインシャフト、
５６：小プーリー、
５７：吸引室、
５８：排気室、
５９：吸引ファン、
６０：排気孔、
６１：制御部、
６２：壁、
６３：フランジ、
６４：雄ネジ、
６５：アダプター、
６６：ネジ蓋、
７０：バキュームタンク、
７１：バキューム装置、
７２：付勢手段、
７３：磁石、
７６：移送管部切替バルブ、
７７：補助吸引管、
８０：管部閉じ装置、
８１：水張りスイッチ、
８２：バキューム・水洗スイッチ、
８３：制御部、
８６：管部閉じ装置、
８７：バキューム水洗水張りスイッチ、
８８：制御部、
９０：接合部、
９１：接合部、
９４：管部閉じ装置、
９５：潰し体、
９９：管部閉じ装置、
１００：軸受体、
１０１：軸受体、
１０２：シャフト、
１０３：回転アーム、
１０４：回転アーム、
１０５：潰し体、
１０６：付勢手段、
１０７：操作杆、
１０８：ストッパー、
１０９：カム、
１１０：バキューム水洗水張りスイッチ、
１１１：ベース、
１１３：アダプター、
１１４：アダプター本体、
１１５：管通し孔、
１１６：管通し孔、
１１７：雄ネジ、
１１８：フランジ、
１１９：雌ネジ、
１２０：固定カバー、
１２３：便受け部、
１２４：簡易便器。
【図１】
2007285070.tif 000003
【図２】
2007285070.tif 000004
【図３】
2007285070.tif 000005
【図４】
2007285070.tif 000006
【図５】
2007285070.tif 000007
【図６】
2007285070.tif 000008
【図７】
2007285070.tif 000009
【図８】
2007285070.tif 000010
【図９】
2007285070.tif 000011
【図１０】
2007285070.tif 000012
【図１１】
2007285070.tif 000013
【図１２】
2007285070.tif 000014
【図１３】
2007285070.tif 000015
【図１４】
2007285070.tif 000016
【図１５】
2007285070.tif 000017
【図１６】
2007285070.tif 000018
【図１７】
2007285070.tif 000019
【図１８】
2007285070.tif 000020
【図１９】
2007285070.tif 000021
【図２０】
2007285070.tif 000022
【図２１】
2007285070.tif 000023
【図２２】
2007285070.tif 000024
【図２３】
2007285070.tif 000025
【図２４】
2007285070.tif 000026
【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
便座を有する座って排便をする便器と、
この便器に設けられた便を受ける容器体からなる便受け部と、
この便受け部に一方を接続してなる移送管部と、
下水管の点検穴、浄化槽の汲取り穴、肥溜めの汲取り穴、浸透桝の開口、溜め容器の開口などの便投棄場所投入部の上に置く前記移送管部の他方に接続されてなるバキュームタンクと、
このバキュームタンクの下部に設けられた、前記便受け部から前記移送管部を通して移送され該バキュームタンクに収納された便を前記便溜め場所投入部に排出する排出口と、
この排出口を開閉する排出口開閉弁と、
前記移送管部を通じて前記便受け部の便を前記バキュームタンク内に吸引移送するようにするための、該バキュームタンク内を負圧にするバキューム装置と、
前記便器に接続されてなる前記便受け部の臭気を吸引するための臭気吸引管、この臭気吸引管が連絡された臭気を主に屋外に排出するための排気ファンとからなる臭排気装置とからなるとともに、
使用者が便器に座っての排便中は前記排気ファンを動作させて臭気を吸引排気させることができ、且つ、排便が終了してから前記バキューム装置を動作させて前記便受け部の便を前記バキュームタンク内に吸引移送するように動作させるあるいは操作することができるようにしてなることを特徴とするバキューム式トイレ装置。
【請求項２】
排出口開閉弁がバキューム装置の動作によるバキュームタンク内の負圧力により排出口に吸い付けられて該排出口を閉じ、且つ、前記バキューム装置の停止により該バキュームタンク内の負圧力が弱まったり常圧になると該排出口開閉弁の自重で開くあるいは該バキュームタンク内の負圧力が弱まったり常圧になると収納した便等の重さで開くようにしてなるものであることを特徴とする請求項１記載のバキューム式トイレ装置。
【請求項３】
排気ファンを常に動作させるようにしてなることを特徴とする請求項１記載のバキューム式トイレ装置。
【請求項４】
臭気センサを設け、この臭気センサが所定の臭気を感知している状態においては排気ファンが動作して臭気の吸排気状態であることを特徴とする請求項１記載のバキューム式トイレ装置。
【請求項５】
移送管部の便器内あるいは該便器近くに、細い管部からなる硬く大きな便を詰まらせる詰まらせ管部を設け、この詰まらせ管部に便が詰まった場合には該詰まらせ管部を潰すことにより詰まった便を潰して、詰まりを解消できるようにしたことを特徴とする請求項１〜４いずれか記載のバキューム式トイレ装置。
【請求項６】
移送管部の便器内あるいは該便器近くに開閉管部を設け、この開閉管部を潰し閉じる管部閉じ装置を設け、この管部閉じ装置は便器使用時を含め通常時は閉じ状態で前記開閉管部を潰し閉じ状態にするとともに、バキューム装置の動作中は開き状態になることを特徴とする請求項１〜４いずれか記載のバキューム式トイレ装置。
【請求項７】
請求項６に記載の開閉管部が請求項５に記載の詰まらせ管部であることを特徴とするバキューム式トイレ装置。
【請求項８】
便受け部に水を流し込む水洗装置を設け、この水洗装置の動作・停止を行う水張りスイッチを設け、バキューム装置、管部閉じ装置および前記水洗装置の動作・停止を一緒に行うバキューム・水洗スイッチを設けてなることを特徴とする請求項６、７いずれか記載のバキューム式トイレ装置。
【請求項９】
水洗装置が、
洗浄水を溜め置く洗浄水タンクと、
便受け部の上方内側壁に沿うように設けられた該上方内側形態と同じ形態の管部からなり且つ該管部の下部に該便受け部の内壁に向けて洗浄水を放出する多数の洗浄水放出孔を有する柔軟性のビニール管からなる洗浄水放出管と、
この洗浄水放出管内に通されて該洗浄水放出管を所定のリング体にしている針金部材と、
前記洗浄水タンクの水を前記洗浄水放出管に送水するポンプとから構成されてなることを特徴とする請求項１〜８いずれか記載のバキューム装置。
【請求項１０】
移送管部の中途に移送管部切替バルブを設け、この移送管部切替バルブに補助吸引管を取り付け、前記移送管部切替バルブの切替操作により、前記補助吸引管での吸引を可能としたことを特徴とする請求項１〜９いずれか記載のバキューム式トイレ装置。
【請求項１１】
開閉管部を潰し閉じ状態とする管部閉じ装置を設け、バキューム装置、水洗装置、前記管部閉じ装置を動作させるバキューム水洗水張りスイッチを設け、このバキューム水洗水張りスイッチを入りとすることにより前記バキューム装置および前記水洗装置を動作させ、前記バキューム装置の動作から少し遅れて前記管部閉じ装置を動作させて前記開閉管部を開き、便受け部の便等を吸引してバキュームタンクに移送する状態にし、前記バキューム水洗水張りスイッチを切ると、前記バキューム装置が停止し前記管部閉じ装置が閉じ動作して前記開閉管部を潰し閉じ状態とし、前記水洗装置は更に水を送る水張り動作を続けて前記便受け部を水張り状態として停止するようにしてなることを特徴とする請求項６記載のバキューム式トイレ装置。
【手続補正２】
【補正対象書類名】明細書
【補正対象項目名】全文
【補正方法】変更
【補正の内容】
【発明の詳細な説明】
【技術分野】
【０００１】
本発明は、バキューム式トイレ装置に関する。
【背景技術】
【０００２】
特開平１０−１９５９６０（吸込装装置）に、便器と低部にタンクの負圧で開閉する開閉弁を有する吸引タンクを管で連絡し、吸引機構部３（バキューム装置）を動作させて前記吸引タンクを負圧にすることにより、便器内の便を前記吸引タンクに移送し、前記吸引タンクの負圧が解除されると該タンク内の便が下水に自動的に放出されるバキューム式トイレ装置の技術が開示されている。
【特許文献１】特開平１０−１９５９６０
【非特許文献１】特になし
【発明の開示】
【発明が解決しようとする課題】
【０００３】
上記特許文献１の技術は、
１：使用中の便器の臭気を常に脱臭するためには、吸引機構部３（バキューム装置）を便器の使用中は常に動作する長時間動作を強いらなければならないという欠点があった。この欠点は以下のような問題をもたらすものであった。
（１）１人で一回の平均トイレ使用時間が３分程度であるとすると、１日の使用回数が７回である場合、１日２１分、１ヶ月略６３０分（１０．５時間）、１年１２６時間となり、バキューム装置の寿命を短期間にしてしまう。
（２）バキューム装置は騒音が大きく、長時間騒音を出し続ける。また、バキューム装置からの排気臭も長時間排出してしまう。
（３）排便（尿を含む）と同時に便は吸移送されるので、健康チェックのために便を目視することができない。吸引機構部３（バキューム装置）を停止して便を観察しようとした場合、臭気が部屋に飛散する。
（４）便器内に便が残った場合や、便器の清掃がおろそかになったりして臭気が生じると、その臭気が部屋に飛散してしまう。
（５）バキューム装置による脱臭は、空気の吸引量が多くて、お尻がスースーして寒気を感じるなど、強い違和感があるものであった。
２：便器２９（便受け部）の水溜めは、該便器２９からの移送管部をU字状に曲げ上げた形態としてしているために、便器２９の水張りが前記U字状部位に高さ以上にできない（殆ど便器２９の排出口程度が限度）、前記U字状部位が便器２９の直後に設けられているので、便の移送速度が付かない状態で移送管部の折れ曲がりに遭遇することになり、硬く大きな便やトイレットペーパーの塊がその折れ曲がり部位で詰まってしまうという欠点を有するものであった。
（６）プラスチックなどでできた安価な簡易便器（ポータブル便器）は、中に尿便を入れ持ち歩くことができるバケツを有している。
これは、バキューム式トイレを購入しようとした場合、粗大ゴミとなり資源の無駄、邪魔になる、有効利用できないという欠点があった。
また、臭気が無く便処理の入らないバキューム式トイレへのグレードアップを考えた購入ができないという欠点を有するものであった。
【０００４】
本発明は以上のような従来技術の欠点に鑑み、バキューム装置の動作時間を短時間とすることができ且つ便器の臭気を確実に脱臭することを可能としたバキューム式トイレ装置を提供することを目的としている。
また本発明の他の目的は、バキューム装置の動作時間を短時間とすることができ、便器の臭気を確実に脱臭することを可能とし、且つ、便受け部に十分な水を張ることを可能としたバキューム式トイレ装置を提供することにある。
【課題を解決するための手段】
【０００５】
上記目的を達成するために、本発明は次に述べるような構成となっている。
＜請求項１記載の発明＞
便座を有する座って排便をする便器と、
この便器に設けられた便を受ける容器体からなる便受け部と、
この便受け部に一方を接続してなる移送管部と、
下水管の点検穴、浄化槽の汲取り穴、肥溜めの汲取り穴、浸透桝の開口、溜め容器の開口などの便投棄場所投入部の上に置く前記移送管部の他方に接続されてなるバキュームタンクと、
このバキュームタンクの下部に設けられた、前記便受け部から前記移送管部を通して移送され該バキュームタンクに収納された便を前記便溜め場所投入部に排出する排出口と、
この排出口を開閉する排出口開閉弁と、
前記移送管部を通じて前記便受け部の便を前記バキュームタンク内に吸引移送するようにするための、該バキュームタンク内を負圧にするバキューム装置と、
前記便器に接続されてなる前記便受け部の臭気を吸引するための臭気吸引管、この臭気吸引管が連絡された臭気を主に屋外に排出するための排気ファンとからなる臭排気装置とからなるとともに、
使用者が便器に座っての排便中は前記排気ファンを動作させて臭気を吸引排気させることができ、且つ、排便が終了してから前記バキューム装置を動作させて前記便受け部の便を前記バキュームタンク内に吸引移送するように動作させるあるいは操作することができるようにしてなるバキューム式トイレ装置を構成している。
＜請求項２記載の発明＞
請求項１記載の発明の構成において、排出口開閉弁がバキューム装置の動作によるバキュームタンク内の負圧力により排出口に吸い付けられて該排出口を閉じ、且つ、前記バキューム装置の停止により該バキュームタンク内の負圧力が弱まったり常圧になると該排出口開閉弁の自重で開くあるいは該バキュームタンク内の負圧力が弱まったり常圧になると収納した便等の重さで開くようにしてなるものであるバキューム式トイレ装置を構成している。
＜請求項３記載の発明＞
請求項１記載の発明の構成において、排気ファンを常に動作させるようにしてなるこバキューム式トイレ装置を構成している。
＜請求項４記載の発明＞
請求項１記載の発明の構成において、臭気センサを設け、この臭気センサが所定の臭気を感知している状態においては排気ファンが動作して臭気の吸排気状態であるバキューム式トイレ装置を構成している。
＜請求項５記載の発明＞
請求項１〜４いずれか記載の発明の構成において、移送管部の便器内あるいは該便器近くに、細い管部からなる硬く大きな便を詰まらせる詰まらせ管部を設け、この詰まらせ管部に便が詰まった場合には該詰まらせ管部を潰すことにより詰まった便を潰して、詰まりを解消できるようにしたバキューム式トイレ装置を構成している。
＜請求項６記載の発明＞
請求項１〜４いずれか記載の発明の構成において、移送管部の便器内あるいは該便器近くに開閉管部を設け、この開閉管部を潰し閉じる管部閉じ装置を設け、この管部閉じ装置は便器使用時を含め通常時は閉じ状態で前記開閉管部を潰し閉じ状態にするとともに、バキューム装置の動作中は開き状態になるバキューム式トイレ装置を構成している。
＜請求項７記載の発明＞
請求項６に記載の開閉管部が請求項５に記載の詰まらせ管部であるバキューム式トイレ装置を構成している。
＜請求項８記載の発明＞
請求項６、７いずれか記載の発明の構成において、便受け部に水を流し込む水洗装置を設け、この水洗装置の動作・停止を行う水張りスイッチを設け、バキューム装置、管部閉じ装置および前記水洗装置の動作・停止を一緒に行うバキューム・水洗スイッチを設けてなるバキューム式トイレ装置を構成している。
＜請求項９記載の発明＞
請求項１〜８いずれか記載の発明の構成において、
水洗装置が、
洗浄水を溜め置く洗浄水タンクと、
便受け部の上方内側壁に沿うように設けられた該上方内側形態と同じ形態の管部からなり且つ該管部の下部に該便受け部の内壁に向けて洗浄水を放出する多数の洗浄水放出孔を有する柔軟性のビニール管からなる洗浄水放出管と、
この洗浄水放出管内に通されて該洗浄水放出管を所定のリング体にしている針金部材と、
前記洗浄水タンクの水を前記洗浄水放出管に送水するポンプとから構成されてなる構成されてなるバキューム装置を構成している。
＜請求項１０記載の発明＞
請求項１〜９いずれか記載の発明の構成において、移送管部の中途に移送管部切替バルブを設け、この移送管部切替バルブに補助吸引管を取り付け、前記移送管部切替バルブの切替操作により、前記補助吸引管での吸引を可能としたバキューム式トイレ装置を構成している。
＜請求項１１記載の発明＞
請求項６記載の発明の構成において、開閉管部を潰し閉じ状態とする管部閉じ装置を設け、バキューム装置、水洗装置、前記管部閉じ装置を動作させるバキューム水洗水張りスイッチを設け、このバキューム水洗水張りスイッチを入りとすることにより前記バキューム装置および前記水洗装置を動作させ、前記バキューム装置の動作から少し遅れて前記管部閉じ装置を動作させて前記開閉管部を開き、便受け部の便等を吸引してバキュームタンクに移送する状態にし、前記バキューム水洗水張りスイッチを切ると、前記バキューム装置が停止し前記管部閉じ装置が閉じ動作して前記開閉管部を潰し閉じ状態とし、前記水洗装置は更に水を送る水張り動作を続けて前記便受け部を水張り状態として停止するようにしてなるバキューム式トイレ装置を構成している。
【発明の効果】
【０００６】
以上の説明から明らかなように、本発明にあっては次に列挙する効果が得られる。
＜請求項１記載の発明の効果＞
便座を有する座って排便をする便器と、この便器に設けられた便を受ける容器体からなる便受け部と、この便受け部に一方を接続してなる移送管部と、下水管の点検穴、浄化槽の汲取り穴、肥溜めの汲取り穴、浸透桝の開口、溜め容器の開口などの便投棄場所投入部の上に置く前記移送管部の他方に接続されてなるバキュームタンクと、このバキュームタンクの下部に設けられた、前記便受け部から前記移送管部を通して移送され該バキュームタンクに収納された便を前記便溜め場所投入部に排出する排出口と、この排出口を開閉する排出口開閉弁と、前記移送管部を通じて前記便受け部の便を前記バキュームタンク内に吸引移送するようにするための、該バキュームタンク内を負圧にするバキューム装置と、前記便器に接続されてなる前記便受け部の臭気を吸引するための臭気吸引管、この臭気吸引管が連絡された臭気を主に屋外に排出するための排気ファンとからなる臭排気装置とからなるとともに、使用者が便器に座っての排便中は前記排気ファンを動作させて臭気を吸引排気させることができ、且つ、排便が終了してから前記バキューム装置を動作させて前記便受け部の便を前記バキュームタンク内に吸引移送するように動作させるあるいは操作することができるようにしてなるバキューム式トイレ装置を構成しているので、
（１）  使用者が便座に座って便中は臭排気装置を作動させてその臭気を吸引して屋外に排気させ続けるので、バキューム装置を脱臭のために動作させる必要がなく、バキューム装置は便が済んでから動作させせるだけの４秒〜６秒程度の短時間動作とすることができる。これにより、バキューム装置の長寿命化を実現し、バキューム装置動作の騒音時間も短時間にできるという効果を奏する。
（２）  また、便を便受け部に臭気を気にすることなく止め置くことができるので、臭気を気にすることなく便の状態を見ることができるという効果を奏する。
（３）  また、便器に座って居る間はバキューム装置を作動させないので、お尻がスースーして寒気を感じることがないという効果を奏する。
（４）  また、排便直前に僅かに水洗を行って便受け部を濡らし、バキューム動作時の数秒程度だけ水を流せばよいので、水タンクの水を水洗用水として使用する場合その使用を少量とすることができ、水タンクを小型にできる、ないし水タンクへの水の汲み入れ仕事を軽減できるという効果を奏する。
＜請求項２記載の発明の効果＞
請求項１記載の発明の構成において、排出口開閉弁がバキューム装置の動作によるバキュームタンク内の負圧力により排出口に吸い付けられて該排出口を閉じ、且つ、前記バキューム装置の停止により該バキュームタンク内の負圧力が弱まったり常圧になると該排出口開閉弁の自重で開くあるいは該バキュームタンク内の負圧力が弱まったり常圧になると収納した便等の重さで開くようにしてなるものであるバキューム式トイレ装置を構成しているので、
前記請求項１記載の発明の効果に加えて、排出口開閉便の構造が非電動で簡単な構造であるので、故障し難く且つ低コストの装置を実現するという効果を奏する。
＜請求項３記載の発明の効果＞
請求項１記載の発明の構成において、前記排気ファンを常に動作させるようにしてなるバキューム式トイレ装置を構成しているので、
前記請求項１記載の発明の効果に加えて、便器に便が残っていたり、何らかの臭気が発生しても、常に屋外に吸排気しているので、部屋が臭くなることがないという効果を奏する。
＜請求項４記載の発明の効果＞
請求項１記載の発明の構成において、臭気センサを設け、この臭気センサが所定の臭気を感知している状態においては排気ファンが動作して臭気の吸排気状態であるバキューム式トイレ装置を構成しているので、
前記請求項１記載の発明の効果に加えて、臭気があるときだけ排気ファンが動作するので、省電力と排気ファンの長寿命化を実現するとともに、排気ファンが便器の使用時間以外で動作していれば、便器が汚れて臭気を発していることが分かり、便器の掃除を促すという効果を奏する。
＜請求項５記載の発明の効果＞
請求項１〜４いずれか記載の発明の構成において、移送管部の便器内あるいは該便器近くに、細い管部からなる硬く大きな便を詰まらせる詰まらせ管部を設け、この詰まらせ管部に便が詰まった場合には該詰まらせ管部を潰すことにより詰まった便を潰して、詰まりを解消できるようにしたバキューム式トイレ装置を構成しているので、
前記請求項１〜４いずれか記載の発明の効果に加えて、便などの移送管部への詰まりを便器の内あるいは近接した部位でわざと起こさせ、これを踏み潰す当により使用者が簡単に解消することができるものであるので、詰まりによる使用不能状態が起きないバキューム式トイレを実現するという効果を奏する。
＜請求項６記載の発明の効果＞
請求項１〜４いずれか記載の発明の構成において、移送管部の便器内あるいは該便器近くに開閉管部を設け、この開閉管部を潰し閉じる管部閉じ装置を設け、この管部閉じ装置は便器使用時を含め通常時は閉じ状態で前記開閉管部を潰し閉じ状態にするとともに、バキューム装置の動作中は開き状態になるバキューム式トイレ装置を構成しているの、
前記請求項１〜４いずれか記載の発明の効果に加えて、便器未使用状態および排便中は開閉管部が閉じ状態にあるので、便受け部に水を十分に張っておくことができ、この水の張りにより未使用中の便受け部の臭気を軽減でき、排便中は便を張った水内に沈めるて臭気を軽減させることができ、バキューム装置を動作させての吸引時は張った大量の水と共に便を吸引移送するので便受け部への便の付着なくスピーディーにバキュームタンクに移送することができるという効果を奏する。
＜請求項７記載の発明の効果＞
請求項６に記載の開閉管部が請求項５に記載の詰まらせ管部であるバキューム式トイレ装置を構成しているので、
詰まらせ管部に弁が詰まったら、バキューム装置の吸引動作を停止させることにより、管部閉じ装置が詰まらせ管部（開閉管部）を潰して詰まった便も潰す。こうしてバキューム装置を動作させると管閉じ装置は開いて詰まらせ管部も開いて、潰れた便は吸引移送される。このように、詰まり解消機能と便受け部への水張り機能を同一機構により実現するという効果を奏する。
＜請求項８記載の発明の効果＞
請求項６、７いずれか記載の発明の構成において、便受け部に水を流し込む水洗装置を設け、この水洗装置の動作・停止を行う水張りスイッチを設け、バキューム装置、管部閉じ装置および前記水洗装置の動作・停止を一緒に行うバキューム・水洗スイッチを設けてなるバキューム式トイレ装置を構成しているので、
前記請求項６、７いずれか記載の発明の効果に加えて、水張りスイッチを押している間は水が便受け部に流れ込み続けて、管部閉じ装置は閉じているのでその水は便受け部に溜め張らせることができ、バキューム・水洗スイッチを押している間はバキューム装置が吸引動作し続け且つ水洗装置も動作し続けて便受け部を水洗し続ける。すなわち、２つの押しスイッチの押し操作という簡単な操作だけで、水洗水張り操作と、水洗バキューム操作を間違いなく行うことができるという効果を奏する。
＜請求項９記載の発明の効果＞
請求項１〜８いずれか記載の発明の構成において、水洗装置が、洗浄水を溜め置く洗浄水タンクと、便受け部の上方内側壁に沿うように設けられた該上方内側形態と同じ形態の管部からなり且つ該管部の下部に該便受け部の内壁に向けて洗浄水を放出する多数の洗浄水放出孔を有する柔軟性のビニール管からなる洗浄水放出管と、この洗浄水放出管内に通されて該洗浄水放出管を所定のリング体にしている針金部材と、前記洗浄水タンクの水を前記洗浄水放出管に送水するポンプとバキューム装置を構成しているので、
請求項１〜８いずれか記載の発明の効果に加えて、洗浄水放出管の下部に設けられた多数の洗浄水放出孔から便受け部の内壁に向けて洗浄水を放出する形態であるので、確実に便受け部の内壁全体を少量の洗浄水により濡らし洗浄流れを形成することができるという効果を奏する。
また、洗浄水放出管の下部から便受け部の内壁に向けて放水当てる形態であるので、壁に当たった水の上への撥ね水は洗浄水放出管に当たって阻止されるので、洗浄水の跳ね上がりが生じない水洗装置を実現するという効果を奏する。
＜請求項１０記載の発明の効果＞
請求項１〜９いずれか記載の発明の構成において、移送管部の中途に移送管部切替バルブを設け、この移送管部切替バルブに補助吸引管を取り付け、前記移送管部切替バルブの切替操作により、前記補助吸引管での吸引を可能としたバキューム式トイレ装置を構成しているので、
請求項１〜９いずれか記載の発明の効果に加えて、補助吸引管により、ベッドの掃除、ベッドでの入浴した捨て湯の吸引廃棄などに使用でき大変に便利である。
＜請求項１１記載の発明の効果＞
請求項６記載の発明の構成において、開閉管部を潰し閉じ状態とする管部閉じ装置を設け、バキューム装置、水洗装置、前記管部閉じ装置を動作させるバキューム水洗水張りスイッチを設け、このバキューム水洗水張りスイッチを入りとすることにより前記バキューム装置および前記水洗装置を動作させ、前記バキューム装置の動作から少し遅れて前記管部閉じ装置を動作させて前記開閉管部を開き、便受け部の便等を吸引してバキュームタンクに移送する状態にし、前記バキューム水洗水張りスイッチを切ると、前記バキューム装置が停止し前記管部閉じ装置が閉じ動作して前記開閉管部を潰し閉じ状態とし、前記水洗装置は更に水を送る水張り動作を続けて前記便受け部を水張り状態として停止するようにしてなるバキューム式トイレ装置を構成しているので、
請求項６記載の発明の効果に加えて、一つのスイッチの入り切り操作のみで水洗・バキュームと便受け部への水張りを行うことができるので、操作が極めて簡単であるという効果を奏する。
【発明を実施するための最良の形態】
【０００７】
本発明の実施の形態を図面を参照しながら説明する。ただし、この実施の形態に記載されている構成部品の大きさ、形状、寸法、材質、数、その相対配置などは、本発明の範囲をそれらのみに限定する趣旨のものではない。
【０００８】
＜第１の実施の形態＞
図１ないし図１３に示す本発明を実施するための最良の第１の実施の形態において１はバキューム式トイレ装置であって、このバキューム式トイレ装置１は便器本体４、この便器本体４に収納され便を受ける容器体からなる便受け部２、便座３とからなる便器１０と、屋外に置かれるバキュームタンク５と、便受け部２とバキュームタンク５とを連絡する該２の便（尿便）を該５に吸引移送する移送管部６と、バキュームタンク５を負圧にして便受け部２の便を吸引させるためのバキューム装置７と、便受け部２内に水洗用水を流し込む水洗装置８と、主に便受け部２の臭気を吸引して屋外に排気するための臭排気装置９、臭気センサ１１、便座センサ１２、洗浄スイッチ１３、バキュームスイッチ１４とからなっている。
【０００９】
便器１０は図１２に示すように、全体がプラスチック製の簡易便器からなっていて、外枠を形成する上部底部を開口してなる便器本体４と、この便器本体４に上部開口から本体を入れられ且つフランジ１５を便器本体４に掛けてセットされた便受け部２と、便座３とからなっている。
一般的には便蓋が設けられるが図では省略している。
便受け部２はバケツ形態の便受け部本体２６と、便をいれたまま持ち運びができるように着脱自在の取手１６（図５）が取り付けられるようになっていて、上部に設けられたフランジ１５と、底部に突出設けられた移送管部６を構成する便受け管部１８が取り付けるための移送管部取付部１７と、移送管部取付部１７を塞ぐ塞ぎ板１９とからなり、単なる簡易トイレとして提供されしようできるようになっている。２０はスカート部である。
便受け部２の上方には水洗装置８を構成する洗浄水放出管２１を止め支持する段差（複数の小突起でもよい）からなる放出管止め部２２が設けられている。
便受け部２の後上部には洗浄水放出管２１の硬質管からなる根元管部２３を嵌め支持する放出管支持溝２４が形成されている。
バキューム式トイレ装置とするには、塞ぎ板１９を抜き取って、移送管部６を取り付け、洗浄水放出管２１、臭排気装置９、臭気センサ１１、便座センサ１２、洗浄スイッチ１３、バキュームスイッチ１４などをセットしてバキューム式トイレにグレードアップする。
すでに貫通してなる移送管部取付部が形成されてなる便受け部を後付けする形態もよい。
また、移送管部取付部が形成されてなる便受け部が便器本体と一体成形されてなる形態のものもよい。この場合、搬送容器である便受け部２はバキューム式トイレの部品としては使用しない。
【００１０】
図１３において、便受け管部１８は立ち上がり部２５を設けて該１８に水が張るようにしている。バキュームタンクや移送管部からの臭気の進入を防ぐものである。
【００１１】
図６に示すように洗浄水放出管２１は、柔軟性のビニール管からなる管部２７と、この管部２７に通された該２７を所定のリング体にしている針金部材２８と、一方が塞がれ他方が開口してなる管部２７の左右端に差し込まれてなる管差込支持部２９と、管部２７の下部に形成された便受け部４の内壁に向けて洗浄水を放出する多数の洗浄水放出孔３０と、管差込支持部２９の中央に取り付けられてある根元管部２３とからなっている。
管部２７は水道管に繋いで水をまくなどする安価なビニール管でよく、針金を通して所定のリング体を形成するので、大変安価にできる。
【００１２】
バキュームタンク５は、タンク本体３２と、このタンク３２の中ほどに設けられた移送管部６が連絡する吸出し口３３と、タンク本体３２の上部に設けられたバキューム装置７のバキューム管３４が連絡するバキューム口３５と、タンク本体３２の傾斜底部に設けられた排出口３６と、この排出口３６のヒンジ形態で開閉を行う板状の排出口開閉弁３７と、タンク本体３２の下部に設けられたスカート部４０とからなている。
排出口開閉弁３７はバキューム装置７が吸引動作してタンク本体３２内が負圧になると排出口３６の口縁部位に吸い付けられて、吸引を移送管部６からのみとし、便等がタンク本体３２に収納されてもタンク本体３２の負圧力（真空力）により排出口３６に吸い付けられ開くことがない。タンク本体３２に収納された便等の重量が、真空力により排出口３６に吸い付けられている排出口開閉弁３７の吸い付け力を上回るとその重量によりバキューム装置７の吸引動作中であっても開いて、便等を下水の点検穴３８（下水桝）（便投棄場所投入部等）に放出する。
バキューム装置７が停止してタンク本体３２の負圧状態が解除されると便等の重量により開いて下水管３９に放出する。
排出口開閉弁３７は低コストでよいが、電動式開閉や電磁式開閉弁などもよい。
【００１３】
移送管部６は移送管本体４３と、便受け部２に取り付けられる便受け管部１８と、この便受け管部１８と移送管本体４３の間で便器の近接する部位に設けられた、弾性ゴム管からなる硬く太い便や大量に投棄されたトイレットペーパーなどを、わざと詰まらせる詰まらせ管部４４（細い管部）とからなっている。
詰まらせ管部４４に詰まった場合には、該４４を踏み潰し詰まった物を踏み潰しばらして、詰まらせ管部４４を通る状態にする。
詰まらせ管部は細い管に限らず、波形形態に一つから複数のうねりを設けた形態などもよい。
このように、わざと詰まらせる部位を便器に近接する部位や室内に設けることにより、詰まりが生じても使用者が簡単に詰まりを解消することができる。よって、詰まりによる便器が使用できなくなる、メンテナンスフリーが必要になる、といったことが生じないバキューム式トイレを実現するという効果を奏する。
【００１４】
水洗装置８は水タンク４７と、この水タンクに沈めるポンプ４８とこのポンプ４８と根元管部２３を連絡する送水管４９と、洗浄水放出管２１と、ポンプ４８を使用者が手動操作で動作させる洗浄スイッチ１３とからなっている。
水洗装置が動作しない、水洗装置を設けない場合は、バケツ等に水を汲み、水を便受け部に投入してバキューム動作すればよい。
【００１５】
臭排気装置９は臭気センサ１１と、屋外に取り付けられる排気ファン５０と、この排気ファン５０と便器４を連絡する臭吸引管５１とからなっている。４６は便器本体に固定する臭吸引口部材である。
排気ファンは室内に設けるのもよい。
臭吸管の途中などにオゾン、光触媒、活性炭などの脱臭部を設けて、排出する臭気を弱めるようにするのもよい。
【００１６】
バキューム装置は２００Ｗ程度の掃除機でも十分に機能する。
バキューム装置７はモータ５２と、このモータ５２の軸に取り付けられた大プーリー５３と、バキュームボックス５４と、このバキュームボックス５４に軸受けにより軸支され貫通されたメインシャフト５５と、このメインシャフト５５の外側に突き出た部位に取り付けられた大プーリー５３とベルト（図では省略）で連絡される小プーリー５６と、バキュームボックス５４内を吸引室５７と排気室５８に区分けするメインシャフト５５に固定された吸引ファン５９とから構成されている。
６０は排気孔である。
【００１７】
図４において、移送管本体４３と臭吸引管５１を壁６２に穴を貫通させて通す形態例を示している。
壁に２つの穴を貫通させ、それぞれに一方のフランジ６３を有し他方に雄ネジ６４を有する管形態のアダプター６５を挿入し、雄ネジ６４にネジ蓋６６を螺合させて壁に固定する。
【００１８】
図３に示すように、バキューム式トイレ１は次のように操作および動作する。
便座３に人が座ると便座センサ１２がそれを感知して、排気ファン５０が自動的に動作して便器４の臭気を吸引排気する。
便座３から人が立ち上がると便座センサ１２がそれを感知し、その感知から所定の時間（一分〜数分）後に排気ファン５０を自動停止させる。６１は制御部である。
臭気センサ１１が臭気を感知している間、排気ファン５０は動作して便器４の臭気を吸引排気する。
洗浄スイッチ１３を押している間はポンプ４８が動作して、水洗を行う。
バキュームスイッチ１４を入れるとバキューム装置７が動作して吸引を行う。このとき水洗スイッチ１３も押し水洗状態にする。
便座センサ１２が座ったことを感知したら、ポンプ４８が自動的に動作して、数秒間水を流し込み便受け部２の内壁を濡らすようにするのがよい。
【００１９】
（発明を実施するための異なる形態）
次に、本発明を実施するための異なる形態について説明する。なお、これら本発明を実施するための異なる形態の説明に当たって、本発明を実施するための最良の第１の実施の形態と同一構成部分には同一符号を付して重複する説明を省略する。
【００２０】
＜第２の実施の形態＞
図１４は本発明を実施するための最良の第２の実施の形態であって、前記第１の実施の形態と主に異なる点は、バキュームタンクをバキュームタンク７０とし、該７０の上部に一体的にバキューム装置７１を設けた構成としたことにある。
バキュームタンク７０はタンク本体３２と、このタンク３２内の上方から中ほどに延びた管により形成された移送管部６が連絡する吸出し口３３と、タンク本体３２の上部に設けられたバキューム装置７１が連絡するバキューム口３５と、タンク本体３２の傾斜底部に設けられた排出口３６と、この排出口３６のヒンジ形態で開閉を行う板状の排出口開閉弁３７と、タンク本体３２の下部に設けられたスカート部４０とからなている。
排出口開閉弁３７は磁着性部材からなっているあるいは磁着部が先端に設けられ、付勢手段７２により常に閉じ側に付勢支持され、排出口３６の外側には磁石７３が設けられ、付勢手段７２の付勢力により閉じ側に上げられた排出口開閉弁３７は磁石７３に引き上げられ磁着して排出口３６を塞ぐようになっている。
【００２１】
＜第３の実施の形態＞
図１５は本発明を実施するための最良の第３の実施の形態であって、前記第１の実施の形態と主に異なる点は、移送管部６の中途に移送管部切替バルブ７６を設け、この移送管部切替バルブ７６に補助吸引管７７を取り付け、移送管部切替バルブ７６の切替操作により、補助吸引管７７での吸引を可能とし、排気ファン５０を室内側に設けた点にある。
【００２２】
＜第４の実施の形態＞
図１６、図１７は本発明を実施するための最良の第４の実施の形態であって前記第１の実施の形態と主に異なる点は、詰まらせ管部４４を自動的に開閉させるソレノイドからなる管部閉じ装置８０を設け、ポンプ４８（水洗装置８）の動作・停止を行う水張りスイッチ８１を設け、バキューム装置７、管部閉じ装置８０およびポンプ４８の動作・停止を一緒に行うバキューム・水洗スイッチ８２を設け、制御部を制御部８３とした点にある。
通常は管部閉じ装置８０は閉じ状態で詰まらせ管部４４は潰され塞ぎ状態となっている。
この詰まらせ塞ぎ状態で水張りスイッチ８１を入れると便受け部２に水が流れ込み該便受け部２に水が溜まり水を張り、そのまま水張り状態を維持しておくことができる。
水張りスイッチ８１による操作においては、所定の時間がたったらスイッチが自動的に切れるようにするのがよい。さらに、一回の水張り操作を行うと、バキューム・水洗スイッチ８２を押してバキューム装置７を動作させて停止させないと、次の水張り操作ができないようにするのがよい。
【００２３】
＜第５の実施の形態＞
図１８は本発明を実施するための最良の第５の実施の形態であって前記第４の実施の形態と主に異なる点は、管部閉じ装置を両側から挟持部が対向動作する管部閉じ装置８６とし、動作スイッチをバキューム水洗水張りスイッチ８７とし、
バキューム水洗水張りスイッチ８７入りにすると、バキューム装置７およびポンプ４８（水洗開始）が動作し、バキューム装置７の動作から少し遅れて（２秒〜４秒程度）管部閉じ装置８６が動作して詰まらせ管部４４を開いて便受け部２の水・便等を吸引してバキュームタンク５への吸引移送状態にし、
バキューム水洗水張りスイッチ８７を切ると、バキューム装置７が停止し管部閉じ装置８６が閉じ動作して詰まらせ管部４４を潰し閉じ、ポンプ４８は更に所定の時間水を送る水張り動作を続けて便受け部２を水張り状態として停止するようにし、制御部をこのような制御をおこなう制御部８８とした点にある。
水張り動作の停止は、便受け部２への水張り状態を検出して止める、水量センサを設け所定の水量を流したら停止するなどの方法もよい。
バキューム水洗水張りスイッチ８７は指で押し続けると入り状態が継続し指を離すと切れる形態のスイッチ、入り操作をすると指を離しても入り状態が継続し霧操作をすると切れる形態のスイッチなど多様な形態がある。
【００２４】
＜第６の実施の形態＞
図１９は本発明を実施するための最良の第６の実施の形態であって前記第４の実施の形態と主に異なる点は、管部閉じ装置８６と詰まらせ管部４４を接合部９１，９２で接合して、詰まらせ管部４４が確実に開くようにした点にある。
【００２５】
＜第７の実施の形態＞
図２０は本発明を実施するための最良の第７の実施の形態であって前記第４の実施の形態と主に異なる点は、管部閉じ装置をモータ（図示せず）により回転するカムにより上下動する潰し体９７とした管部閉じ装置９４とした点にある。
ソレノイドに比べて静音である。モータの回転により閉じ開閉操作する形態は、カムによるものなど多様な形態がある。
【００２６】
＜第８の実施の形態＞
図２１は本発明を実施するための最良の第８の実施の形態であって前記第４の実施の形態と主に異なる点は、管部閉じ装置を手動や足踏み式で行う管部閉じ装置９９とした点にある。
管部閉じ装置９９は、詰まらせ管部４４を挟むように固定された対を成す軸受体１００、１０１と、この軸受体１００、１０１に回転自在に軸支され一部を便器１０の外側に突出されてなるシャフト１０２と、シャフト１０２の軸受体１００、１０１の間に設けられた対を成す該１００、１０１と一体となって回転する回転アーム１０３、１０４と、この回転アーム１０３、１０４の間に回転フリーに軸支されてなる詰まらせ管部４４を潰し塞ぐ潰し体１０５と、この潰し体１０５を潰し側に常に付勢している引張りコイルバネからなる付勢手段１０６と、シャフト１０２の便器外側部位に設けられた手で回し操作してシャフト１０２を回転させて潰し体１０５を開き動作させる操作杆１０７と、潰し体１０５が所定の潰し位置に止まるようにするストッパー１０８と、シャフト１０２に設けられたカム１０９と、詰まらせ管部４４を開き状態とした場合にカム１０９によりスイッチ入り状態となるバキューム水洗水張りスイッチ１１０とからなっている。
バキューム水洗水張りスイッチ１１０による動作は、バキューム水洗水張りスイッチ８７と同様な動作となる。
付勢手段は圧縮バネ、板バネ、弾性ゴム、発条、ねじり付勢手段など多様なものがる。
操作杆は操作杆である足踏みペダルでもよい。
【００２７】
＜第９の実施の形態＞
図２２は本発明を実施するための最良の第９の実施の形態であって前記第１の実施の形態と主に異なる点は、管を家の壁に通すためのアダプター１１３である。
アダプター１１３は、表面と裏面がある中空円筒形のアダプター本体１１４と、このアダプター本体１１４の表面から裏面に貫通された管通し孔１１５、１１６と、アダプター本体１１４の表側側部に螺刻された雄ネジ１１７と、アダプター本体１１４の裏側に形成されたフランジ１１８と、雄ネジ１１７に螺合する雌ネジ１１９を螺刻していなる固定カバー１２０とからなっている。
【００２８】
＜第１０の実施の形態＞
図２３は本発明を実施するための最良の第１０の実施の形態であって前記第１の実施の形態と主に異なる点は、便受け部１２３を便器本体４に一体的に成形してなる簡易便器１２４を形成した点にある。
便受け部１２３の底部には移送管部取付部１７が形成され、抜き易く結合縁を薄肉形成してなる塞ぎ板１９を設けている。
一般的な簡易便器として提供され、便受け部１２３に収納されるバケツ（便受け部２の移送管部取付部１７の無い平ら底部形態の単なるバケツ形態のもの）が便受け部として添付されている。
これにより、簡易便器１２４をバケツに尿便を排泄し、バケツを外して搬送してトイレに尿便を投棄する、一般的な簡易便器として購入し、後でバキューム式トイレの便器としてそのまま利用することができる。
【００２９】
＜第１１の実施の形態＞
図２４は本発明を実施するための最良の第１１の実施の形態であって前記第１０の実施の形態と主に異なる点は、移送管部取付部１７に雄ネジ１２６を螺刻し、塞ぎ板１９に変わる蓋１２７を螺合し塞ぐようにし、便座３の内側を下方に垂れ延ばした形態の洗浄水放出管２１に便が掛るのを防止するための便掛り防止部１２９を設けた簡易便器１２８を形成した点にある。
【産業上の利用可能性】
【００３０】
本発明は簡易便器、バキューム装置を製造する産業で利用される。
【図面の簡単な説明】
【００３１】
【図１】本発明を実施するための最良の第１の実施の形態におけるバキューム装置の全体構成図。
【図２】本発明を実施するための最良の第１の実施の形態におけるバキューム装置の断面図。
【図３】本発明を実施するための最良の第１の実施の形態における動作制御ブロック図。
【図４】本発明を実施するための最良の第１の実施の形態における管を壁に通す場合に使用するアダプターの断面図。
【図５】本発明を実施するための最良の第１の実施の形態における洗浄水放出管をセットした便受け部を示す斜視図。
【図６】本発明を実施するための最良の第１の実施の形態における洗浄水放出管を示す平面図。
【図７】本発明を実施するための最良の第１の実施の形態における洗浄水放出管と便受け部への掛り状態を示す断面図。
【図８】本発明を実施するための最良の第１の実施の形態における便受け部の断面図。
【図９】本発明を実施するための最良の第１の実施の形態における便受け部の便受け管部を取り付けた状態を示す断面図。
【図１０】本発明を実施するための最良の第１の実施の形態における便器に臭吸引管を取り付けた状態を示す平面図および側面図。
【図１１】本発明を実施するための最良の第１の実施の形態における便受け管部および詰まらせ管部を取り付けた便器の断面図。
【図１２】本発明を実施するための最良の第１の実施の形態における便器の平面図、右側面図、右側面図縦断面図および他の便受け管部を取り付けた便器の断面図。
【図１３】本発明を実施するための最良の第１の実施の形態における便器の断面図および移送管部図。
【図１４】本発明を実施するための最良の第２の実施の形態におけるバキュームタンクの断面図。
【図１５】本発明を実施するための最良の第３の実施の形態における移送管部切替バルブおよび補助吸引管を設けた平面図。
【図１６】本発明を実施するための最良の第４の実施の形態における管部閉じ装置の閉じ状態図および開き状態図。
【図１７】本発明を実施するための最良の第４の実施の形態における動作制御ブロック図。
【図１８】本発明を実施するための最良の第５の実施の形態における動作制御ブロック図。
【図１９】本発明を実施するための最良の第６の実施の形態における管部閉じ装置の閉じ状態図および開き状態図。
【図２０】本発明を実施するための最良の第７の実施の形態における管部閉じ装置の閉じ状態図および開き状態図。
【図２１】本発明を実施するための最良の第８の実施の形態における管部閉じ装置の閉じ状態図および開き状態図。
【図２２】本発明を実施するための最良の第９の実施の形態における管を通すアダプターの断面図および正面図。
【図２３】本発明を実施するための最良の第１０の実施の形態の簡易便器を示す断面図。
【図２４】本発明を実施するための最良の第１１の実施の形態の簡易便器を示す断面図。
【符号の説明】
【００３２】
１：バキューム式トイレ装置、
２：便受け部、
３：便座、
４：便器本体、
５：バキュームタンク、
６：移送管部、
７：バキューム装置、
８：水洗装置、
９：臭排気装置、
１０：便器、
１１：臭気センサ、
１２：便座センサ、
１３：洗浄スイッチ、
１４：バキュームスイッチ、
１５：フランジ、
１６：着脱自在の取手、
１７：移送管部取付部、
１８：便受け管部、
１９：塞ぎ板（塞ぎ部）、
２０：スカート部、
２１：洗浄水放出管、
２２：放出管止め部、
２３：根元管部、
２４：放出管支持溝、
２５：立ち上がり部、
２６：便受け部本体、
２７：管部、
２８：針金部材、
２９：管差込支持部、
３０：洗浄水放出孔、
３２：タンク本体、
３３：吸出し口、
３４：バキューム管、
３５：バキューム口、
３６：排出口、
３７：排出口開閉弁、
３８：下水の点検穴、
３９：下水管、
４０：スカート部、
４３：移送管本体、
４４：詰まらせ管部、
４６：臭吸引口部材、
４７：水タンク、
４８：ポンプ、
４９：送水管、
５０：排気ファン、
５１：臭吸引管、
５２：モータ、
５３：大プーリー、
５４：バキュームボックス、
５５：メインシャフト、
５６：小プーリー、
５７：吸引室、
５８：排気室、
５９：吸引ファン、
６０：排気孔、
６１：制御部、
６２：壁、
６３：フランジ、
６４：雄ネジ、
６５：アダプター、
６６：ネジ蓋、
７０：バキュームタンク、
７１：バキューム装置、
７２：付勢手段、
７３：磁石、
７６：移送管部切替バルブ、
７７：補助吸引管、
８０：管部閉じ装置、
８１：水張りスイッチ、
８２：バキューム・水洗スイッチ、
８３：制御部、
８６：管部閉じ装置、
８７：バキューム水洗水張りスイッチ、
８８：制御部、
９０：接合部、
９１：接合部、
９４：管部閉じ装置、
９５：潰し体、
９９：管部閉じ装置、
１００：軸受体、
１０１：軸受体、
１０２：シャフト、
１０３：回転アーム、
１０４：回転アーム、
１０５：潰し体、
１０６：付勢手段、
１０７：操作杆、
１０８：ストッパー、
１０９：カム、
１１０：バキューム水洗水張りスイッチ、
１１１：ベース、
１１３：アダプター、
１１４：アダプター本体、
１１５：管通し孔、
１１６：管通し孔、
１１７：雄ネジ、
１１８：フランジ、
１１９：雌ネジ、
１２０：固定カバー、
１２３：便受け部、
１２４：簡易便器。